(57)【要約】【課題】  作業員の安全性を確保できて、簡単かつ低コストでコンクリートの飛散と落下を防止できる養生枠装置を提供すること。【解決手段】  内型枠４と外型枠３に跨って搭載する養生枠装置１０であって、外型枠３の延長上に配置される遮蔽体２０と、遮蔽体２０の片面に張り出して設けた跨脚３０とよりなり、遮蔽体２０及び跨脚３０に、内型枠４と外型枠３に沿って走行可能な走行手段２２，３３を設けたことを特徴とする。【選択図】図３
0003105532.tif 000002
【実用新案登録請求の範囲】
【請求項１】
内型枠と外型枠に跨って搭載する養生枠装置であって、
外型枠の延長上に配置される遮蔽体と、
遮蔽体の片面に張り出して設けた跨脚とよりなり、
遮蔽体及び跨脚に、内型枠と外型枠に沿って走行可能な走行手段を設けたことを特徴とする、
養生枠装置。
【請求項２】
請求項１において、遮蔽体が矩形を呈する板体であることを特徴とする、養生枠装置。
【請求項３】
請求項１または請求項２において、遮蔽体の上方へ向けて複数の棒体を立設し、前記棒体にシートを掛け渡し可能に構成したことを特徴とする、養生枠装置。
【考案の詳細な説明】
【技術分野】
【０００１】
本考案は、現場でコンクリートを打設する際にコンクリートの飛散や落下を防止する養生枠装置に関するものである。
【背景技術】
【０００２】
高速道路や高架橋等のコンクリート製側壁を現場で構築する場合、作業中にコンクリートが飛散したり落下したりしないように対策を講じる必要がある。
一般的には、合板パネル等の板体をスラブの外部に数枚横列させて配置し、各板体の下部をスラブに固定する一方、上方が開くように斜めにして控え材で固定した朝顔工法が採用されている。
【考案の開示】
【考案が解決しようとする課題】
【０００３】
従来のコンクリートの飛散落下防止技術にあってはつぎのような問題点がある。
（１）板体の着脱作業を作業員の手作業に頼っているため、作業員が落下事故の危険にさらされる。
（２）コンクリートを打ち継ぎする都度、板体の設置、解体、移動の各作業を繰り返し行う必要があるため、コンクリートの飛散落下防止に多くの労力と時間を要し、しかもコスト高となる。
【０００４】
本考案は以上の点に鑑みて成されたもので、その目的とするところは、作業員の安全性を確保できて、簡単な構造でかつ低コストでコンクリートの飛散と落下を防止できる養生枠装置を提供することにある。
【課題を解決するための手段】
【０００５】
本考案に係る養生枠装置は、内型枠と外型枠に跨って搭載する養生枠装置であって、外型枠の延長上に配置される遮蔽体と、遮蔽体の片面に張り出して設けた跨脚とよりなり、遮蔽体及び跨脚に、内型枠と外型枠に沿って走行可能な走行手段を設けたことを特徴とする。
前記した養生枠装置において、遮蔽体が矩形を呈する板体であることを特徴とする。
また前記した何れかの養生枠装置において、遮蔽体の上方へ向けて複数の棒体を立設し、この棒体にシートを掛け渡し可能に構成したことを特徴とする。
【考案の効果】
【０００６】
本考案は少なくともつぎのひとつの利点を得ることができる。
（１）養生枠装置を内外の型枠に搭載するだけで、コンクリー他の飛散や落下を確実に防止することができる。そのため、これまで作業員の手作業に頼っていたコンクリートの飛散防止用の板体の着脱作業がなくなり、作業員を落下事故の危険から解放できる。
（２）コンクリートの打設スパンに合わせて養生枠装置を横移動するだけで移設が完了するため、従来のような板体の設置、解体、移動といった一切の作業を省略することができる。
そのため、コンクリートの打設作業を円滑かつ迅速に行うことができる。
（３）コンクリートの飛散落下防止コストを著しく低減できる。
特にこの効果は、高速道路などのようにコンクリートの打設長が長くなるほど顕著に表れる。
【考案を実施するための最良の形態】
【０００７】
［構成］
＜１＞養生枠装置の概要
図１に本考案に係る養生枠装置１０は、パネル状の遮蔽体２０と、遮蔽体２０の片面に張り出して設けた跨脚３０と、遮蔽体２０及び跨脚３０に設けた走行手段とにより構成する。以下各部について詳述する。
【０００８】
＜２＞遮蔽体
遮蔽体２０は打設したコンクリートの透過と飛び越えを防止するための部材で、例えば樹脂製、木製、金属製の板体の他に、目の細かい金網等のメッシュ状物や、布や樹脂シート等のシート状物を含む。
遮蔽体２０に可撓性を有する素材を使用する場合は、これらの可撓性素材の形状を保持するために剛性枠体と組み合わせるとよい。
遮蔽体２０の大きさ、形状、材質には、特に制限はないが、実用上、高さが６０〜１００ｃｍ、横が２００〜４００ｃｍの矩形を呈する薄厚の金属板が好適である。
【０００９】
遮蔽体２０の片面のほぼ中央には、横断方向に向けて断面Ｌ字形の補強リブ２１を一体に付設している。補強リブ２１は省略される場合もある。
跨脚３０を設けた遮蔽体２０の反対の側面下部には、外型枠上を走行可能な複数の走行輪２２が設けてある。
【００１０】
＜３＞跨脚
跨脚３０は遮蔽体２０の一部に接続すると共に、内型枠に当接して装置１０の姿勢を保持するための略Ｌ字形を呈する支承部材である。
形鋼で構成した各跨脚３０の基端を遮蔽体２０の上部、および中間の補強リブ２１に溶接やボルト止め等の公知の連結手段で接合する。
本例では、跨脚３０を遮蔽体２０の両側と中央の三箇所に跨脚３０を設けた場合を示すが、跨脚３０の設置数は一つ以上であればよい。養生枠装置１０の姿勢の安定性を考慮すると跨脚３０の設置数は複数が望ましい。
また跨脚３０を遮蔽体２０の上部と側面に夫々接続した場合について示したが、跨脚３０の取り付け位置は任意の位置でよい。
【００１１】
両端の跨脚３０には、Ｔ字形の補助脚３１を追加して設ける。
補助脚３１は、その水平材３２の間にクランプ３４を介して単管パイプ３５を掛け渡して複数の跨脚３０間を補強するために機能することの他に（図３参照）、図示を省略した足場板を掛け渡す際の支持部材としても機能する。
尚、補助脚３１を省略する場合もある。
【００１２】
跨脚３０の下部には内型枠に沿って走行可能な走行輪３３を設ける。
この走行輪３３は先の走行輪２２と同様に空転式であるが、駆動源と接続して自走式に構成したり、或いはストッパ機能を付加して構成する場合もある。
【００１３】
またボルトを介して跨脚３０を遮蔽体２０に組み付け可能に構成すると、養生枠装置１０の運搬や格納に便利なだけでなく、クレーンを使用せずに現場の型枠上で簡単に養生枠装置１０を組み立てることが可能となる。
【００１４】
［使用方法］
＜１＞準備工
図２は高速道路等の側縁部の断面を示すもので、符号２はコンクリー製のスラブ、３は外型枠を兼ねたコンクリート製のハーフ側壁、４は内型枠である。
本例では外型枠が半完成品のハーフ側壁３である場合について示すが、外型枠として機能する部材であれば公知の各種部材を含むものである。
【００１５】
ハーフ側壁３と内型枠４の間には鉄筋５が配筋してあり、この間にコンクリートを打設する際に以下に説明する要領で養生枠装置１０を使用する。
養生枠装置１０の使用に際しては、予めハーフ側壁３の上面にアングル製のレール６を設置すると共に、内型枠４の側面上部に断面Ｃ字形のレール７を設置しておく。
尚、図示したレール６，７は一例であって、種々の断面形状のレールが適用可能である。
【００１６】
＜２＞装置のセット
図３に拡大して示すように、養生枠装置１０の内外の各走行輪２２，３３をハーフ側壁３の上面のレール６と内型枠４のレール７に夫々搭載する。
特に内側の走行輪３３を断面Ｃ字形のレール７の内部に収容させることで、装置１０の転倒を防止して姿勢の安定を図ると共に、脱輪も併せて防止する。外側の走行輪２２も内側の走行輪３３と同様に構成してもよい。
養生枠装置１０をハーフ側壁３と内型枠４に跨いで搭載した結果、外型枠を兼ねたハーフ側壁３の上方の延長上に遮蔽体２０が位置することになる。遮蔽体２０の下部とハーフ側壁３の上面との間に、コンクリートの透過を許容する隙間は生じない。
また養生枠装置１０の横長さがコンクリート打設予定長より短い場合は、複数台の養生枠装置１０を並設して対処する。
【００１７】
＜３＞コンクリートの打設
外型枠を兼ねたハーフ側壁３の内側には跨脚３０が張り出ているが、遮蔽体２０の上方と側方の空間は開放されたままとなる。
コンクリートポンプ車等から延びるコンクリートホースを遮蔽体２０の上方空間または側方空間を利用して、ハーフ側壁３と内型枠４の間に案内して、所定のコンクリート打設作業を行う。
【００１８】
一般に、コンクリートの打設量が増してくると、コンクリートが周囲に飛び散ったり、コンクリートホースの誤操作によりコンクリートが外部へ落下したりする場合がある。
本考案の養生枠装置１０では、外型枠を兼ねたハーフ側壁３の上方と遮蔽体２０の間からコンクリートが透過するのを防止すると共に、遮蔽体２０の上方をコンクリートが飛び越えることを防止する。したがって、コンクリート打設作業中に、外型枠を兼ねたハーフ側壁３の外方へコンクリートが飛散したり、落下したりするのを確実に防止することができる。内型枠４の内側にコンクリートが飛び散る場合があるが、これは特に問題とならない。
養生枠装置１０に付着したコンクリートは硬化前に除去する。
【００１９】
＜４＞装置の移動
コンクリートの打設作業を完了したら、次期スパンの型枠工と配筋工を行うと共に、両レール６，７を夫々延長する。
本考案では、養生枠装置１０を取り外さずに、延長したレール６，７に沿って横移動させるだけで、次期スパンへの養生枠装置１０の移設が完了する。
以下同様に既述した工程を繰り返してコンクリートを打設する。
【００２０】
また図示を省略するが、養生枠装置１０の両側に遮蔽体２０の延長方向に向けて所定の長さの棒体を立設し、これらの棒体の間に遮蔽シートを掛け渡して、遮蔽体２０による遮蔽範囲を実質的に拡張するようにしてもよい。
【図面の簡単な説明】
【００２１】
【図１】本考案に係る養生枠装置の斜視図
【図２】養生枠装置を設置する高速道路等の側縁部の断面図
【図３】養生枠装置を設置した側縁部の拡大図
【符号の説明】
【００２２】
６，７・・・レール
１０・・・養生枠装置
２０・・・遮蔽体
２２・・・走行輪
３０・・・跨脚
３３・・・走行輪
【図１】
0003105532.tif 000003
【図２】
0003105532.tif 000004
【図３】
0003105532.tif 000005
【手続補正書】
【提出日】平成16年5月31日(2004.5.31)
【手続補正１】
【補正対象書類名】図面
【補正対象項目名】全図
【補正方法】変更
【補正の内容】
【図１】
0003105532.tif 000006
【図２】
0003105532.tif 000007
【図３】
0003105532.tif 000008